(57)【要約】【課題】画質の劣化を抑えると共に、様々なメイン被写体に対して良好な画像を得ることのできる撮像装置を提供することを目的とする。【解決手段】本発明の撮像装置は、被写体を撮像して画像データを生成する撮像手段と、前記画像データの一部に対してＡＦ枠を設定するＡＦ枠設定手段と、前記設定されたＡＦ枠に基づいて、合焦動作を実行するＡＦ手段と、前記設定されたＡＦ枠に基づいて、前記画像データの一部に動体検出に使用するための動体検出枠を設定する動体検出枠設定手段と、前記設定された動体検出枠に基づき、前記画像データの一部に被写体の動きがあるか否かを検知する検知手段と、前記検知手段の検知結果に応じて、前記撮像手段で撮像する画像データの露出状態を調整する調整手段と、を備える。【選択図】図３
2011205490.tif 000002
【特許請求の範囲】
【請求項１】
被写体を撮像して画像データを生成する撮像手段と、
前記画像データの一部に対してＡＦ枠を設定するＡＦ枠設定手段と、
前記設定されたＡＦ枠に基づいて、合焦動作を実行するＡＦ手段と、
前記設定されたＡＦ枠に基づいて、前記画像データの一部に動体検出に使用するための動体検出枠を設定する動体検出枠設定手段と、
前記設定された動体検出枠に基づき、前記画像データの一部に被写体の動きがあるか否かを検知する検知手段と、
前記検知手段の検知結果に応じて、前記撮像手段で撮像する画像データの露出状態を調整する調整手段と、
を備える撮像装置。
【請求項２】
前記ＡＦ枠設定手段は、前記画像データに予め設けられた複数のＡＦ枠のうち、一部のＡＦ枠を選択し、当該選択したＡＦ枠を前記画像データに設定し、
前記動体検出枠設定手段は、前記画像データに予め設けられた複数の動体検出枠のうち、一部の動体検出枠を選択し、当該選択した動体検出枠を前記画像データに設定し、
前記予め設けられるＡＦ枠は、前記予め設けられる動体検出枠と、形状、大きさ、数、又は、位置の何れか１つが異なる、
請求項１に記載の撮像装置。
【請求項３】
前記ＡＦ枠設定手段は、前記画像データに含まれる被写体の顔の位置を検出し、当該検出した顔の位置にＡＦ枠を設定し、
前記動体検出枠設定手段は、前記ＡＦ枠に対して重力が働く側に前記動体検出枠を設定する、
請求項１に記載の撮像装置。
【請求項４】
前記ＡＦ枠設定手段は、被写体の色情報に基づき前記画像データにＡＦ枠を設定し、
前記動体検出枠設定手段は、前記予め設けられた複数の動体検出枠のうち、前記ＡＦ枠と近傍する枠を前記動体検出枠として設定する、
請求項１に記載の撮像装置。
【請求項５】
前記ＡＦ枠設定手段は、前記画像データに予め設けられた複数のＡＦ枠のうち、一部のＡＦ枠を選択し、当該選択したＡＦ枠を前記画像データに設定し、
前記予め設けられた複数のＡＦ枠のうち、一部の枠をＡＦ枠として設定する多点ＡＦモードと、前記予め設けられた複数のＡＦ枠のうち、自動又は手動で選択された一点の枠をＡＦ枠として設定する１点ＡＦモードと、を含む複数のモードから１つのモードを選択可能なモード選択手段と、をさらに備え、
前記ＡＦ手段は、前記１点ＡＦモードが選択された場合、前記選択されたＡＦ枠で合焦動作を実行し、前記予め設けられた複数のＡＦ枠のうち、当該合焦動作後の被写界深度に含まれる枠を合焦枠とし、
前記動体検出枠設定手段は、前記設定されたＡＦ枠に替えて前記合焦枠に基づいて、前記画像データの一部に動体検出枠を設定する、
請求項１に記載の撮像装置。
【発明の詳細な説明】
【技術分野】
【０００１】
本発明は、被写体の動きに応じて露出状態を調整する撮像装置に関する。
【背景技術】
【０００２】
従来の特許文献１には、画質の劣化を抑えると共に、メイン被写体がブレない良好画像を得ることができる撮像装置が記載されている。
【０００３】
特許文献１の撮像装置には、複数の顔に関する情報が登録されている。この撮像装置は、登録された顔を認識すると、認識された顔をメイン被写体として、メイン被写体の動きを検出する。そして撮像装置は、メイン被写体に動きがあると判断すると、感度式ブレ軽減処理を実行する（撮影感度を調整する）。
【先行技術文献】
【特許文献】
【０００４】
【特許文献１】特開２００８−３０１３５５号公報
【発明の概要】
【発明が解決しようとする課題】
【０００５】
本発明は、画質の劣化を抑えると共に、様々なメイン被写体に対して良好な画像を得ることのできる撮像装置を提供することを目的とする。
【課題を解決するための手段】
【０００６】
すなわち、本発明の撮像装置は、被写体を撮像して画像データを生成する撮像手段と、前記画像データの一部に対して測距枠であるＡＦ枠を設定するＡＦ枠設定手段と、前記設定されたＡＦ枠に基づいて、合焦動作を実行するＡＦ手段と、前記設定されたＡＦ枠に基づいて、前記画像データの一部に動体検出に使用するための動体検出枠を設定する動体検出枠設定手段と、前記設定された動体検出枠に基づき、前記画像データの一部に被写体の動きがあるか否かを検知する検知手段と、前記検知手段の検知結果に応じて、前記撮像手段で撮像する際に被写体ブレを回避または軽減できるような露光時間を計算する計算手段と、前記計算された露光時間をふまえて自動露出制御を行う制御手段と、を備える。
【発明の効果】
【０００７】
本発明によれば、撮像装置は、画質の劣化を抑えると共に、様々なメイン被写体に対して良好な画像を得ることができる。
【図面の簡単な説明】
【０００８】
【図１】本実施の形態に係るデジタルカメラの斜視図
【図２】本実施の形態に係るデジタルカメラの構成図
【図３】本実施の形態に係るデジタルカメラの動作を示すフローチャート
【図４】本実施の形態に係るデジタルカメラの動作パターン１を説明するための図
【図５】本実施の形態に係るデジタルカメラの動作パターン２を説明するための図
【図６】本実施の形態に係るデジタルカメラの動作パターン３を説明するための図
【図７】本実施の形態に係るデジタルカメラの動作パターン４を説明するための図
【図８】本実施の形態に係るデジタルカメラの動作パターン５を説明するための図
【発明を実施するための形態】
【０００９】
（実施の形態１）
＜構成＞
１．構成
以下、本発明の一実施の形態について、図面を参照して説明する。
【００１０】
１−１  全体構成の概要
図１は、本実施の形態に係るデジタルカメラ１の斜視図である。図２は、本実施の形態に係るデジタルカメラ１の構成を示すブロック図である。以下、具体的に構成を説明する。
【００１１】
光学系１１は、被写体からの光学信号を集光してＣＣＤイメージセンサー１２上に被写体像を形成する。光学系１１は、対物レンズ１１１とズームレンズ１１２とフォーカスレンズ１１３と絞り／シャッタ１１４とを含む。
【００１２】
ズームレンズ１１２は、ズーム駆動部１１５によって駆動され、被写体像の写る範囲（画角）を調整する。すなわち、ズームレンズ１１２は、焦点距離を調整可能である。フォーカスレンズ１１３は、フォーカス駆動部１１６によって駆動され、ピントの調節を行なう。ズーム駆動部１１５は、ズームレンズ１１２を移動するためのカム機構やカム機構を駆動するためのアクチュエータなどを備えて構成され、コントローラ１７からの制御に応じて、ズームレンズ１１２を駆動させる。フォーカス駆動部１１６は、フォーカスレンズ１１３を移動するためのカム機構やカム機構を駆動するためのアクチュエータなどを備えて構成され、コントローラ１７からの制御に応じて、フォーカスレンズ１１３を駆動させる。
【００１３】
また、絞り／シャッタ１１４は、絞りとシャッタを兼用した部材である。絞り／シャッタ１１４は、絞り／シャッタ駆動部１１７によって駆動される。絞りは、５枚の羽根によって構成され、光学系１１を通る光の量を調整するものである。また、シャッタは、開けたり閉じられたりして、ＣＣＤイメージセンサー１２に当たる光の量を時間的に調整するものである。絞り／シャッタ駆動部１１７は、カム機構やカム機構を駆動するためのアクチュエータなどを備えて構成され、コントローラ１７からの制御に応じて、絞り／シャッタを駆動する。
【００１４】
なお、本実施の形態では、絞りとシャッタを兼用した絞り／シャッタ１１４を備えるようにしたが、これに限られず、絞りとシャッタとを別々に設けるようにしても良い。この場合、例えば、シャッタは光学系内に設けず、絞りだけを光学系に設けるとよい。この際、シャッタは、光学系とＣＣＤイメージセンサーの間に設けるとよい。このようにすれば、シャッタを光学系と別の部材で設けたので、レンズ交換タイプのデジタルカメラにも適用できるようになる。
【００１５】
ＣＣＤイメージセンサー１２は、光学系１１によって形成された被写体像を撮像して画像データを生成する撮像手段である。ＣＣＤイメージセンサー１２は、タイミングジェネレータ１２１から供給されるパルス信号に基づいて、被写体像を撮像し、画像データを生成する。タイミングジェネレータ１２１は、ＬＳＩなどの集積回路によって構成され、ＣＣＤイメージセンサー１２にパルス信号を供給する。ここでタイミングジェネレータ１２１がＣＣＤイメージセンサー１２に供給するパルス信号は、例えば、１秒間に３０回のフレーム読み出しパルス信号を供給する。これによって、ＣＣＤイメージセンサー１２では、３０分の１秒ごとのフレームの画像データを取得できるようになる。
【００１６】
ＡＤコンバータ１３は、ＣＣＤイメージセンサー１２で生成された画像データをデジタルデータに変換する。
【００１７】
画像処理部１４は、デジタルデータに変換された画像データに対して所定の処理を施す。所定の処理としては、ガンマ変換、ＹＣ変換、電子ズーム処理、圧縮処理、伸張処理などが考えられるが、これに限定されるものではない。
【００１８】
バッファメモリ１５は、画像処理部１４で画像処理を行う際、および、コントローラ１７で制御処理を行う際に、ワークメモリとして作用する。バッファメモリ１５は、例えば、ＤＲＡＭなどで実現可能である。
【００１９】
フラッシュメモリ１６は、内蔵メモリとして用いられる。フラッシュメモリ１６は、画像データが画像処理された画像データの他に、コントローラ１７の制御のためのプログラムや設定値などを記憶可能である。
【００２０】
コントローラ１７は、デジタルカメラ１全体を制御するための制御手段である。コントローラ１７は、マイクロコンピュータで実現してもよく、ハードワイヤードな回路で実現しても良い。要するに、本発明の制御手段は、自装置を制御できるものであればよい。なお、コントローラ１７の各種制御については、後述する。
【００２１】
カードスロット１８は、メモリカード１９を着脱するためのスロットである。カードスロット１８は、メモリカード１９を制御する機能を有するようにしてもよい。メモリカード１９は、フラッシュメモリなどを内蔵する。メモリカード１９は、画像処理部１４によって画像処理された画像データを格納可能である。
【００２２】
液晶モニタ２０は、画像データおよびデジタルカメラ１の各種設定等を表示する表示手段である。本発明の表示手段としては、液晶モニタに替えて、有機ＥＬディスプレイなどを用いることもできる。
【００２３】
操作部２１は、デジタルカメラ１の外装に取り付けられた操作部材の総称である。操作部２１としては、十字キーや押下釦等が考えられる。
【００２４】
シャッタスイッチ２１１は、デジタルカメラ１の上面に設けられるものであり、使用者からの半押しおよび全押しを検知できるようにしたものである。使用者によって半押し又は全押し操作が行なわれると、シャッタスイッチ２１１は操作に応じた操作信号をコントローラ１７に出力する。すなわち、シャッタスイッチ２１１は、合焦指示を受け付けるように構成されている。
【００２５】
１−２  本実施の形態におけるコントローラ１７の制御の説明
コントローラ１７は、バッファメモリ１５から取得した画像データに対して、適切なＡＦ枠（ＡＦ枠内が合焦を評価するエリア）を設定する。また、コントローラ１７は設定したＡＦ枠に基づきＡＦ処理を実行する。ＡＦ処理を実行した結果、合焦した枠が合焦枠として決定される。ＡＦ枠や合焦枠を適切なサイズ、位置、数で設定する方法は、様々な従来技術で実現できる。
【００２６】
コントローラ１７は、上記ＡＦ処理で決定された合焦枠の位置に基づき、同じくバッファメモリ１５から取得した画像データに対して適切な動体検出枠（枠内が動体検出を評価するためのエリア）のサイズ、位置、数を決定する。具体的処理は、後述する。
【００２７】
そして、コントローラ１７は、設定された動体検出枠内で被写体の動きがあるか否かを判断する。コントローラ１７は、被写体の動きがある場合、その動き量に応じて被写体ブレを回避あるいは軽減できるような露光時間を計算する。多くの場合、シャッタ速度を速くすることで露光時間を短めに設定する。コントローラ１７は前記変更されたシャッタ速度変更による露光時間の変化をふまえたうえで、本撮影シーンで適正露出となるようにＡＥ処理を実行する。この時、適正露出を維持するために撮影感度を上げる、絞り／シャッタ１１４の絞りを開放側に設定するなど考えられるがいずれの場合でもよい。なお、撮影感度を上げるには、ＣＣＤイメージセンサー１２で撮像された画像信号を増幅する場合や、ＣＣＤイメージセンサ１２の画素加算などがあるが、その手段はいずれの場合でもよい。一方コントローラ１７は、被写体の動きがない場合、本撮影シーンで適正露出となるようにＡＥ処理を実行する。
【００２８】
つまり、本実施の形態におけるコントローラ１７は、ＡＦ処理によって決められた合焦枠と、上記決定した動体検出枠の位置関係や重なり方の程度などの情報を組み合わせて利用することで、被写体に動きがあった場合に、それがメインの被写体の動きかあるいはメイン以外の被写体の動きなのかを判断することができる。これは、ＡＦ処理によって決定された合焦枠内の被写体が本撮影シーンにおけるメインの被写体である可能性が高いという前提に基づいている。
【００２９】
コントローラ１７は、合焦枠のサイズ、位置、数などに基づくことで、動体検出枠を、メイン被写体と位置関係が近い位置に適切なサイズ、位置、数で設定することができる。動体検出枠の位置、サイズ、数などはあらかじめ設定したおいた動体検出枠から使用するものを選択するようにしてもよい。また設定された合焦枠に基づいて自動的にまたはユーザの指定を受けて動体検出枠の位置、サイズ、数を決定してもよい。
【００３０】
コントローラ１７は、上記決定された使用する動体検出枠に基づき、その動体検出枠内の被写体の動きが所定の閾値以上の動きであると判断された場合には上記ブレ軽減処理を適用する。つまり、被写体ブレを軽減するように露光時間を調整する。
【００３１】
以上のような制御によって、デジタルカメラ１は、メイン以外の被写体に動きがあったとしてもむやみに露光時間を調整して被写体ブレを回避するのでなく、メインの被写体に動きがあった時に露光時間を調整することで被写体ブレを回避あるいは軽減する。この結果、従来は多くの場合で、メイン以外の被写体の動きのブレを軽減するために、シャッタ速度を速め撮影感度を上げることで画質が劣化してしまっていたが、これを防止できるようになる。
【００３２】
＜動作＞
次に具体的なデジタルカメラ１の撮像動作を図３のフローチャートを用いて説明する。
【００３３】
まず、コントローラ１７は、バッファメモリ１５から画像データを取得する（Ｓ１）。
【００３４】
コントローラ１７は、ユーザからシャッタスイッチ２１１による半押し操作または全押し操作を受け付けたか否かを判定する（Ｓ２）。
【００３５】
ステップＳ２においてユーザから半押し操作または全押し操作のいずれの操作も受け付けない場合には、コントローラ１７は、ユーザが撮影準備動作を行っていないと判断し、後述のＡＥ処理（モニタ用）を行う（Ｓ７）。そしてコントローラ１７は、ＡＥ処理（記録用）を行なう（Ｓ８）。さらに、コントローラ１７は、液晶モニタ２０へ画像を出力する（Ｓ１０）。その後、コントローラ１７は、次回のユーザの半押し操作または全押し操作に備えるため画像データの取得（Ｓ１）へと戻る。
【００３６】
ステップＳ２においてユーザからシャッタスイッチ２１１による半押しまたは全押し操作を受け付けたと判定された場合には、コントローラ１７は、ユーザが撮影準備動作をしていない待機状態から撮影準備動作に入ったと判断し、自動合焦（ＡＦ）処理をする（Ｓ３）。
【００３７】
ステップＳ３の後、コントローラ１７は、動体を検出するために使用する動体検出枠のサイズ、位置、数などを決定する（Ｓ４）。動体検出枠の決定には、ＡＦ処理によって決定された合焦枠の位置やサイズ情報などを使用する。なお、動体検出枠の決定には、以下の２点の基本的考え方を利用する。１つ目は、合焦枠内の被写体は、本撮影シーンにおけるメイン被写体であると想定する。２つ目は、動体検出枠を、合焦枠と位置関係が近い位置に設定すればメイン被写体の動きを検出できると想定する。
【００３８】
例えば、動体検出エリアの決定は、以下の５パターンを用いることができる。
【００３９】
■パターン１：１点ＡＦの場合（図４）
バッファメモリ１５から得られた画像データ領域内に単一のＡＦ枠を設定する場合を１点ＡＦと呼ぶ。
【００４０】
例えば、図４左図の太線に囲まれたＡＦ枠が合焦枠として決定された場合には、図４右図内において前記合焦枠と位置が重なるあるいは近傍に位置するとして太線部に囲まれた動体検出枠を実際に使用する（つまり動き検出の対象となるエリアを持つ）動体検出枠として指定すればよい。
【００４１】
■パターン２：多点ＡＦの場合（図５）
バッファメモリ１５から得られた画像データ領域内に複数のＡＦ枠を設定する場合を多点ＡＦと呼ぶ。多点ＡＦの場合は複数のＡＦ枠から単一または複数の合焦枠をコントローラ１７によって自動的に、またはユーザによって選択させる。この結果、合焦枠の被写体に対して合焦した画像を撮影することができる。複数のＡＦ枠から単一または複数の合焦点枠を決定する手段は様々な従来方法で実現できる。
【００４２】
例えば、図５左図の太線部に囲まれたＡＦ枠が合焦枠として選択された場合には図５右図内に複数ある動体検出枠のなかから、前記選択された合焦枠と位置が重なるあるいは近傍に位置するとして図５右の太線部に囲まれた動体検出枠を実際に使用する動体検出枠として指定すればよい。
【００４３】
■パターン３：被写界深度を考慮する場合（図６）
一般に、あるＡＦ枠に対して同一被写界深度内であると計算された各ＡＦ枠内の被写体は、デジタルカメラ１から同程度の距離に存在すると考えられる。これを上記パターン２（多点ＡＦの場合）に利用すると、決定された合焦枠に対して被写界深度を計算し、ある一定の被写界深度内のＡＦ枠に基き動体検出枠のサイズ、位置、数を決定することができる。
【００４４】
例えば、図６左図の太線に囲まれた合焦枠どうしが同一被写界深度であるとコントローラ１７によって判断された場合には、図６右図の太線に囲まれた動体検出枠を実際に使用する動体検出枠として指定することができる。
【００４５】
なお、被写界深度を考慮するこの考え方は、ＡＦ枠や合焦枠のサイズ、位置、数の決め方によらない。つまり、たとえパターン１（１点ＡＦ式）の場合であったとしても被写界深度計算用のＡＦ枠を多点ＡＦの要領であらかじめ設定しておき、ある一定の被写界深度に含まれるとコントローラ１７によって判断されたＡＦ枠の近傍に動体検出枠を設定することができる。
【００４６】
これらの結果、デジタルカメラ１からメインの被写体およびメインの被写体とある一定程度近い距離にあると想定される被写体の動きに対して、ブレを回避あるいは軽減することができる。
【００４７】
■パターン４：顔優先ＡＦの場合（図７）
バッファメモリ１５から得られた画像データ領域内に人物やペットの顔が検出された場合に検出された領域を含むように優先的にＡＦ枠を設定する場合を顔優先ＡＦと呼ぶ。ここで、顔の検出手段は選ばない。いわゆるパターンマッチング方式によって検出しても良いし、目・鼻・口の形状や肌色などの色情報に基づく検出手段など任意である。なお、顔が検出されなかった場合は１点ＡＦや多点ＡＦに切り替えるなどしても良い。この場合は、パターン３以外の場合に従って本発明を適用する。
【００４８】
例えば、図７左図の太線に囲まれた領域に顔が検出された場合には、図７右図の太線に囲まれた動体検出枠を顔およびその近傍に位置するとして実際に使用する動体検出枠として指定すればよい。このとき検出された顔が人物の顔であった場合には、腕や胸部が動くことを考慮して使用する動体検出枠に図７右側の動体検出枠Ａ、Ｂ、Ｃを含めると本発明は効果的である。
【００４９】
■パターン５：追尾ＡＦの場合（図８）
バッファメモリ１５から得られた画像データ領域内に自動的にまたはユーザから手動で特定の被写体を含むＡＦ枠を設定し、その被写体の動きに追従してＡＦ枠を移動させるＡＦ方式を追尾ＡＦと呼ぶ。このとき、ＡＦ枠が合焦枠となる。被写体の動きに追従してＡＦ枠を設定する手段は様々な従来技術で実現できるがいずれの場合でも良い。また被写体を追尾する際に、被写体の動きを予測する手段を適用すると本発明は効果的である。被写体の動きを予測する手段はいずれの場合でも良い。
【００５０】
例えば、図８左図で示されたように被写体が動いた場合には、図８右図のような位置に実際に使用する動体検出枠を設定すればよい。ここでは、まず被写体の現在の位置、つまり現在の合焦枠の位置から動体検出枠Ｄを設定している。さらに動き予測を行うことで、注目する被写体が過去に存在した位置に基づき、将来おそらく動くと予想される位置に動体検出枠Ｅを設定している。
【００５１】
以上、実際に使用する動体検出枠の位置、サイズ、数などを決定する方法を説明した。なお、本発明は上記で示したＡＦ枠や合焦枠の位置、サイズ、数などの設定方法にも適用できる。
【００５２】
図３の説明に戻って、ステップＳ４の後、コントローラ１７は、使用する動体検出枠内で動きが検出されるか否かの判定をする（Ｓ５）。動体検出エリア内の被写体が動いているかどうかを検知する手段は様々あるが、いずれの手段を使用してもよい。ここでは、前フレームと現在のフレーム間で画像情報の差分を取得したうえで、あらかじめ決めた閾値以上の差分が生じた場合に動きがあったと判定し、そうでない場合は動体検出枠内の被写体に動きがなかったと判定する。
【００５３】
ステップＳ５で動体検出エリア内において動きがあったと検出された場合、コントローラ１７は、メイン被写体に何らかの動きがあったと判断し、その動き量に応じて被写体ブレを回避あるいは軽減できるような露光時間を計算する（Ｓ６）。計算された露光時間は以降でＡＥ処理を実行するとき（つまり、シャッタ速度、Ｆ値、撮影感度などを決定するとき）に利用することで被写体のブレを回避あるいは軽減した画像を撮影できることになる。この後、コントローラ１７は、ステップＳ７の処理に移行する。
【００５４】
一方、ステップＳ５で動体検出内において動きがなかったと検出された場合、コントローラ１７は、ステップＳ７の処理に移行する。
【００５５】
そして、コントローラ１７は、液晶モニタ２０への出力用の自動露出制御処理（ＡＥ処理のモニタ用）を行う（Ｓ７）。つまり、高照度の環境ではＦ値（絞り）を小絞り側に設定し、低照度側ではＦ値を開放側に設定するなどにより露光時間を制御することによって、液晶モニタ２０に出力される画像の適正露出を維持させる働きをする。
【００５６】
その後、コントローラ１７は、撮影記録時に使用するＦ値、シャッタ速度、撮影感度等の露出に必要な情報（ＡＥ情報と呼ぶ）を決定したうえでバッファメモリ１５に保存する（Ｓ８）。なお、Ｓ８で保存されたＡＥ情報は、ステップＳ１１での撮影画像記録処理で利用される。
【００５７】
ステップＳ８の後、コントローラ１７は、ユーザからシャッタスイッチ２１１による全押し操作（Ｓ９）を受け付けている状態と判定された場合には、ユーザが撮影記録動作であると判断し画像記録のための記録動作を実行し（Ｓ１１）、その後画像取得（Ｓ１）へと戻る。全押し操作を受け付けていない場合には、ステップＳ１０へと移る。
【００５８】
次にコントローラ１７は、ステップＳ７で決定した液晶モニタ２０への出力用のＡＥ情報に基づき、バッファメモリ１５から得られた画像信号を液晶モニタ２０に出力させる（Ｓ１０）。
【００５９】
（他の実施の形態）
本発明の実施の形態として、上記実施の形態を例示した。しかし、本発明は、上記実施の形態に限定されず、他の実施の形態においても実現可能である。
【００６０】
上記実施の形態１では、露出状態の調整の一例として、シャッタ速度と撮影感度を調整するようにした。しかし、これに限られず、露出状態の調整は、絞り、シャッタスピード、撮影感度の少なくとも１つを用いればよい。
【産業上の利用可能性】
【００６１】
本発明は、デジタルスチルカメラ、デジタルビデオカメラ、カメラ付き携帯電話等に適用することが可能である。
【符号の説明】
【００６２】
１  デジタルカメラ
１１  光学系
１１１  対物レンズ
１１２  ズームレンズ
１１３  フォーカスレンズ
１１４  絞り／シャッタ
１１５  ズーム駆動部
１１６  フォーカス駆動部
１１７  絞り／シャッタ駆動部
１２  ＣＣＤイメージセンサー
１２１  タイミングジェネレータ
１３  ＡＤコンバータ
１４  画像処理部
１５  バッファメモリ
１６  フラッシュメモリ
１７  コントローラ
１８  カードスロット
１９  メモリカード
２０  液晶モニタ  
２１  操作部
２１１  シャッタスイッチ
【図１】
2011205490.tif 000003
【図２】
2011205490.tif 000004
【図３】
2011205490.tif 000005
【図４】
2011205490.tif 000006
【図５】
2011205490.tif 000007
【図６】
2011205490.tif 000008
【図７】
2011205490.tif 000009
【図８】
2011205490.tif 000010